(57)【要約】【課題】キャリブレーションが実行された画像表示装置に対して再度のキャリブレーションを実行する場合に要する時間を短縮する。【解決手段】画像表示装置の複数の調整項目についてキャリブレーションを行うキャリブレーション手段と、前記複数の調整項目のキャリブレーションの途中に複数回、所定の検査用パッチの測色を行う検査手段と、前記検査用パッチの測色結果に基づいて、前記複数の調整項目のうちの部分的な調整項目ごとに、前記キャリブレーションの結果を検証する検証手段と、を備えるキャリブレーション装置。【選択図】図３
2014059353.tif 000002
【特許請求の範囲】
【請求項１】
画像表示装置の複数の調整項目についてキャリブレーションを行うキャリブレーション手段と、
前記複数の調整項目のキャリブレーションの途中に複数回、所定の検査用パッチの測色を行う検査手段と、
前記検査用パッチの測色結果に基づいて、前記複数の調整項目のうちの部分的な調整項目ごとに、前記キャリブレーションの結果を検証する検証手段と、
を備えるキャリブレーション装置。
【請求項２】
前記キャリブレーション手段は、前記検証手段により適切なキャリブレーションが行われていないと判断された部分的な調整項目について再度キャリブレーションを行う請求項１に記載のキャリブレーション装置。
【請求項３】
前記検証手段により適切なキャリブレーションが行われていないと判断された部分的な調整項目がある場合に、その旨をユーザに通知する画面を画像表示装置に出力する出力手段を更に備える請求項１または２に記載のキャリブレーション装置。
【請求項４】
前記検証手段は、ある検査用パッチの測色結果と、その次の検査用パッチの測色結果と、の差分が閾値より大きい場合に、当該検査用パッチの測色の間に行われた調整項目について適切なキャリブレーションが行われていないと判断する請求項１〜３のいずれか１項に記載のキャリブレーション装置。
【請求項５】
前記検査手段は、少なくとも、前記複数の調整項目のうち最初の調整項目のキャリブレーションが行われる前と、前記複数の調整項目のキャリブレーションの途中と、前記複数の調整項目のうち最後の調整項目のキャリブレーションが行われた後と、において検査用パッチの測色を行う請求項１〜４のいずれか１項に記載のキャリブレーション装置。
【請求項６】
前記検査手段は、前記キャリブレーション手段により１つの調整項目についてのキャリブレーションが終了するたびに前記検査用パッチの測色を行う請求項１〜５のいずれか１項に記載のキャリブレーション装置。
【請求項７】
１つの調整項目のキャリブレーションは、その調整項目に関する値を異ならせた複数のパッチの測色結果に基づいて行われ、
前記検査手段は、各調整項目の複数のパッチの測色の途中においても前記検査用パッチの測色を行う請求項６に記載のキャリブレーション装置。
【請求項８】
前記検査手段は、一定時間ごとに前記検査用パッチの測色を行う請求項１〜５のいずれか１項に記載のキャリブレーション装置。
【請求項９】
前記キャリブレーション手段によるキャリブレーションの実行中、前記画像表示装置の周囲の環境条件を定期的に取得する取得手段を更に備え、
前記検査手段は、前記取得手段により取得される環境条件に応じて前記検査用パッチの測色を行う頻度を変化させる請求項１〜８のいずれか１項に記載のキャリブレーション装置。
【請求項１０】
前記検査手段は、キャリブレーションの開始後初めて取得した環境条件からの差分が閾値より大きい場合、前記検査用パッチの測色を行う頻度を増やす請求項９に記載のキャリブレーション装置。
【請求項１１】
画像表示装置の複数の調整項目についてキャリブレーションを行うキャリブレーション工程と、
前記複数の調整項目のキャリブレーションの途中に複数回、所定の検査用パッチの測色を行う検査工程と、
前記検査用パッチの測色結果に基づいて、前記複数の調整項目のうちの部分的な調整項目ごとに、前記キャリブレーションの結果を検証する検証工程と、
を有するキャリブレーション装置の制御方法。
【請求項１２】
前記キャリブレーション工程では、前記検証工程により適切なキャリブレーションが行われていないと判断された部分的な調整項目について再度キャリブレーションを行う請求項１１に記載のキャリブレーション装置の制御方法。
【請求項１３】
前記検証工程により適切なキャリブレーションが行われていないと判断された部分的な調整項目がある場合に、その旨をユーザに通知する画面を画像表示装置に出力する出力工程を更に有する請求項１１または１２に記載のキャリブレーション装置の制御方法。
【請求項１４】
前記検証工程では、ある検査用パッチの測色結果と、その次の検査用パッチの測色結果と、の差分が閾値より大きい場合に、当該検査用パッチの測色の間に行われた調整項目について適切なキャリブレーションが行われていないと判断する請求項１１〜１３のいずれか１項に記載のキャリブレーション装置の制御方法。
【請求項１５】
前記検査工程では、少なくとも、前記複数の調整項目のうち最初の調整項目のキャリブレーションが行われる前と、前記複数の調整項目のキャリブレーションの途中と、前記複数の調整項目のうち最後の調整項目のキャリブレーションが行われた後と、において検査用パッチの測色を行う請求項１１〜１４のいずれか１項に記載のキャリブレーション装置の制御方法。
【請求項１６】
前記検査工程では、前記キャリブレーション工程により１つの調整項目についてのキャリブレーションが終了するたびに前記検査用パッチの測色を行う請求項１１〜１５のいずれか１項に記載のキャリブレーション装置の制御方法。
【請求項１７】
１つの調整項目のキャリブレーションは、その調整項目に関する値を異ならせた複数のパッチの測色結果に基づいて行われ、
前記検査工程では、各調整項目の複数のパッチの測色の途中においても前記検査用パッチの測色を行う請求項１６に記載のキャリブレーション装置の制御方法。
【請求項１８】
前記検査工程では、一定時間ごとに前記検査用パッチの測色を行う請求項１１〜１５のいずれか１項に記載のキャリブレーション装置の制御方法。
【請求項１９】
前記キャリブレーション工程によるキャリブレーションの実行中、前記画像表示装置の周囲の環境条件を定期的に取得する取得工程を更に有し、
前記検査工程では、前記取得工程により取得される環境条件に応じて前記検査用パッチの測色を行う頻度を変化させる請求項１１〜１８のいずれか１項に記載のキャリブレーション装置の制御方法。
【請求項２０】
前記検査工程では、キャリブレーションの開始後初めて取得した環境条件からの差分が閾値より大きい場合、前記検査用パッチの測色を行う頻度を増やす請求項１９に記載のキャリブレーション装置の制御方法。
【請求項２１】
請求項１〜１０のいずれか１項に記載のキャリブレーション装置を備える画像表示装置
。
【請求項２２】
請求項１１〜２０のいずれか１項に記載のキャリブレーション装置の制御方法の各工程をコンピュータに実行させるプログラム。
【請求項２３】
請求項１１〜２０のいずれか１項に記載のキャリブレーション装置の制御方法の各工程をコンピュータに実行させるプログラムを記録したコンピュータ読み取り可能な記録媒体。
【発明の詳細な説明】
【技術分野】
【０００１】
本発明は、キャリブレーション装置、その制御方法、画像表示装置、プログラム、及び記録媒体に関する。
【背景技術】
【０００２】
画像表示装置の表示品質を高精度に保つために、キャリブレーションを定期的に実行するキャリブレーション制御装置が考案されている。
【０００３】
キャリブレーション処理では画像表示装置上に表示されるパッチと呼ばれるテスト用の一様色画像を、測色器と呼ばれるセンサで測色して、測色結果を基に画像処理方法及び画像処理パラメータなどを調整する。キャリブレーションを行うことにより画像表示装置の表示品質を維持することができる。
【０００４】
キャリブレーションで調整する項目は多岐にわたり、調整を行うために必要なパッチ数もそれに伴い膨大なものとなる。パッチの表示と測色を多数回繰り返す必要があるため、キャリブレーション処理は時間がかかる。またキャリブレーション実行中に外光、温度、測色器の設置状況等の周囲環境が変化することで、キャリブレーションが正確に行われない場合がある。
【０００５】
ここで、キャリブレーションが正確に行われ、正しい表示品質で画像表示装置が動作していることを確認する方法が知られている。例えば特許文献１に、簡易な方法で画像表示装置が正確にキャリブレーションされているか否かを確認する方法が開示されている。この方法を用いることで、定期的に画像表示装置のキャリブレーション状態を確認することができ、必要に応じて再キャリブレーションを実行することが可能となる。
【先行技術文献】
【特許文献】
【０００６】
【特許文献１】特開２００７−１０１９０１号公報
【発明の概要】
【発明が解決しようとする課題】
【０００７】
上述の従来技術によるキャリブレーション状態の確認方法を用いた場合、キャリブレーションが完了した後に正しくキャリブレーションが行われているか否かの判定を実施することは可能である。しかしながら、キャリブレーション処理過程におけるエラー箇所を特定することはできない。従ってキャリブレーションが正しく実行されなかったと判定された場合には全てのキャリブレーション処理を再実行する必要があるため、時間がかかってしまうという課題があった。
【０００８】
そこで本発明では、キャリブレーションが実行された画像表示装置に対して再度のキャリブレーションを実行する場合に要する時間を短縮することができる技術を提供する事を目的とする。
【課題を解決するための手段】
【０００９】
本発明は、画像表示装置の複数の調整項目についてキャリブレーションを行うキャリブレーション手段と、
前記複数の調整項目のキャリブレーションの途中に複数回、所定の検査用パッチの測色
を行う検査手段と、
前記検査用パッチの測色結果に基づいて、前記複数の調整項目のうちの部分的な調整項目ごとに、前記キャリブレーションの結果を検証する検証手段と、
を備えるキャリブレーション装置である。
【００１０】
本発明は、画像表示装置の複数の調整項目についてキャリブレーションを行うキャリブレーション工程と、
前記複数の調整項目のキャリブレーションの途中に複数回、所定の検査用パッチの測色を行う検査工程と、
前記検査用パッチの測色結果に基づいて、前記複数の調整項目のうちの部分的な調整項目ごとに、前記キャリブレーションの結果を検証する検証工程と、
を有するキャリブレーション装置の制御方法である。
【発明の効果】
【００１１】
本発明によれば、キャリブレーションが実行された画像表示装置に対して再度のキャリブレーションを実行する場合に要する時間を短縮することができる。
【図面の簡単な説明】
【００１２】
【図１】実施例１に係るシステム構成の概略図
【図２】実施例１に係るキャリブレーション制御装置のブロック図
【図３】実施例１に係る検査用パッチ表示順番説明図
【図４】実施例１に係る検査用パッチ測色結果格納領域の説明図
【図５】実施例１に係るキャリブレーション処理フローチャート
【図６】実施例１に係る検査用パッチ処理フローチャート
【図７】実施例１に係るエラー箇所特定処理フローチャート
【図８】実施例２に係るシステム構成の概略図
【図９】実施例２に係るキャリブレーション制御装置のブロック図
【図１０】実施例２に係る検査用パッチ挿入頻度変更処理フローチャート
【発明を実施するための形態】
【００１３】
（実施例１）
以下、図面を参照しながら本発明に係る実施例１を詳細に説明する。ただし本発明は本実施例に限られることなく本発明の趣旨を逸脱すること無く、種々の構成により実施できる。
【００１４】
図１は本実施例のシステム構成の概略図である。本システムは画像表示装置１００、ＰＣ（Personal  Computer）２００から成る。ＰＣ２００は画像表示装置１００へ画像信号を出力する画像出力装置の一例であり、ＰＣに限らない。
【００１５】
画像表示装置１００はDP（Display Port）ケーブル２０１でＰＣ２００と接続されていて、ＰＣ２００から出力される画像信号に基づく画像を画面に表示することができる。なお本実施例においてはDPを用いた例を挙げているが、DVI（Digital Visual Interface）
やHDMI（High-Definition Multimedia Interface）など他の種類のケーブルを用いてもよい。
【００１６】
また、画像表示装置１００はキャリブレーション実行時に用いる測色器１１０を備えている。
【００１７】
図２は本発明のキャリブレーション制御装置の概略構成を示すブロック図である。画像表示装置１００は映像入力部１０１、画像処理部１０２、画像表示部１０３、キャリブレ
ーション実行部１０４、キャリブレーション監視制御部１０５、エラー特定部１０６、GUI生成部１０７、制御部１０８、記憶部１０９、測色器１１０を備えて構成される。
【００１８】
ＰＣ２００から出力される画像信号は映像入力部１０１に入力される。画像処理部１０２は映像入力部１０１から供給される画像信号、GUI生成部から供給されるGUI画像およびキャリブレーション実行部１０４から供給されるパッチ画像に対して画像処理を施す。画像表示部１０３は、画像処理部１０２から供給される画像信号に基づく画像を表示する。
【００１９】
キャリブレーション実行部１０４の基本的な処理内容は、制御部１０８からのキャリブレーション実行指示内容に応じて複数の調整項目のパッチ画像を選択・描画して画像処理部１０２に出力する。また、キャリブレーション実行部１０４は、画像表示部１０３に表示されたパッチ画像を測色器１１０が測色した結果を取得し、この測色結果および測色結果を基に調整した画像処理方法、画像処理パラメータを記憶部１０９に記憶する。キャリブレーションの指示内容としては輝度調整、ガンマ調整等複数あるキャリブレーション項目から一つを選択して実行、いくつかを選択して実行、全項目を一括で実行等がある。各調整項目のキャリブレーションは、その調整項目に関する値を異ならせた複数のパッチの測色結果に基づいて行われる。
【００２０】
キャリブレーション監視制御部１０５は、キャリブレーション実行部１０４の実行するキャリブレーションの途中に複数回、エラー発生箇所の特定を目的とした所定の検査用パッチの測色をキャリブレーション実行部１０４に指示する。検査用パッチ処理については後述の図７で詳しく説明する。エラー発生箇所は、キャリブレーションが適切に行われていない調整項目或いは調整項目のパッチであり、再度キャリブレーションを行う必要がある。
【００２１】
エラー特定部１０６は、記憶部１０９に記録されている検査用パッチの測色結果および、キャリブレーションが正確に行われたことを判定するために用いる閾値情報を用いて、エラー発生位置を特定する。またエラー特定部１０６は特定したエラー発生キャリブレーション項目の表示指示をGUI生成部１０７に出す。本実施例では、エラー特定部１０６は
、複数の調整項目のキャリブレーションのうち、部分的な調整項目ごとにエラーが発生しているか否か、すなわち再度キャリブレーションを実行すべきか否かを判断する。部分的な調整項目ごとにエラー判定を行い、エラーと判定された部分的な調整項目についてのみ再度キャリブレーションを行うことにより、複数の調整項目全体について再度キャリブレーションを行うよりも短時間で済む。
【００２２】
GUI生成部１０７は、エラー特定部１０６からの指示に従って、エラーが発生したキャ
リブレーション項目を表示するＧＵＩ画像を生成し、画像処理部１０２に出力する。
【００２３】
制御部１０８は、図示しないリモコンや本体操作ボタン等の操作入力部を介したユーザ操作等によるコマンドを受け、キャリブレーション実行部１０４に対してキャリブレーション実行指示を出す。
【００２４】
記憶部１０９は各パッチの測色結果および測色結果を基に調整した画像処理方法、画像処理パラメータ、閾値情報、キャリブレーション項目番号カウンタなどを記憶する。
【００２５】
測色器１１０は画像表示部１０３に表示されるパッチ画像を測色し、キャリブレーション実行部１０４に測色結果を送る。
【００２６】
図３は、本発明の検査用パッチ表示順番説明図である。本実施例においてはキャリブレーション項目として「輝度調整」、「色域調整」、「ガンマ調整」の3項目を実行する場
合について説明するが、項目の増減や実行順番の入れ替えがあってもよい。キャリブレーション処理内容については後述の図５で詳しく説明する。
【００２７】
符号３０１はキャリブレーションのエラーを検出するための検査用パッチを示す。符号３０３、３０５、３０７はいずれも検査用パッチ３０１と同じ検査用パッチを示す。なお、本発明においては検査用パッチとしては黒パッチ（ＲＧＢ値＝０，０，０）を用い、この検査用パッチを測色して得られる輝度値をエラー判定のために用いる例について説明する。しかし、検査用パッチは他の種類のパッチや複数のパッチを用いても良く、エラー判定に使用する値は輝度値以外であってもよい。
【００２８】
符号３０２は輝度調整用のパッチ、符号３０４は色域調整用のパッチ、符号３０６はガンマ調整用のパッチをそれぞれ示している。
【００２９】
各パッチの表示順番は、キャリブレーション開始時に検査用パッチを表示し、その後は各キャリブレーション項目用パッチを表示した後に検査用パッチを表示する。検査用パッチの測色結果は記憶部１０９の検査用パッチ測色結果格納領域に記憶される。検査用パッチ測色結果格納領域については後述の図４で詳しく説明する。
【００３０】
図４は、本実施例の検査用パッチ測色結果格納領域の説明図である。検査用パッチ測色結果格納領域は、検査用パッチ実施番号毎に検査用パッチの測色値情報を格納する領域を持つ。前述の図３の検査用パッチ３０１、３０３、３０５、３０７の測色結果は、それぞれ検査用パッチ実施番号０、１、２、３の領域に格納される。
【００３１】
図５は、本実施例のキャリブレーション処理を示すフローチャートである。制御部１０８からキャリブレーション実行が指示されると、キャリブレーション実行部１０４は最初に検査用パッチ実施番号カウンタを０に初期化し（Ｓ５０１）、検査用パッチ処理を行う（Ｓ５０２）。検査用パッチ処理については後述の図６で詳しく説明する。
【００３２】
キャリブレーション実行部１０４は、続けて、以下に説明する処理を繰り返し行うことで、全てのキャリブレーション項目の調整処理（輝度調整、色域補正、ガンマ調整）と検査用パッチ処理を行う（Ｓ５０３）。
【００３３】
キャリブレーション実行部１０４はキャリブレーション項目１を実行する（Ｓ５０４）。本実施例においてはキャリブレーション監視制御部１０５が各キャリブレーション項目の終了を監視していて、終了検出時に検査用パッチ処理実行指示を出し、キャリブレーション実行部１０４は検査用パッチ処理を実行する（Ｓ５０５）。なお、ここで行う検査用パッチ処理は前述のＳ５０２と同じ処理である。続いてキャリブレーション実行部１０４はＳ５０３に戻り、キャリブレーション項目番号をインクリメントしてキャリブレーション項目２を実行し（Ｓ５０４）、検査用パッチ処理を実行する（Ｓ５０５）。以下同様に、キャリブレーション実行部１０４は、全てのキャリブレーション項目について終了するまでＳ５０３〜Ｓ５０５を繰り返す。
【００３４】
なお、本実施例においてキャリブレーション監視制御部１０５は各調整項目の終了を監視・検出することで、異なる調整項目間に検査用パッチを挿入する例を説明した。しかし、一つの調整項目をさらに細かく分割して挿入したり、一定時間毎に挿入したりするなど、他の挿入タイミングにしてもよい。
【００３５】
その後キャリブレーション実行部１０４はキャリブレーション結果検証処理を行い（Ｓ５０６）、検証結果がOKかNGかを判定する（Ｓ５０７）。検証結果がOKだった場合は処理を終了し、NGだった場合はエラー特定部１０６によってエラー箇所特定処理が行われる（
Ｓ５０８）。エラー箇所特定処理については後述の図７で詳しく説明する。
【００３６】
図６は、本実施例の検査用パッチ処理を示すフローチャートである。最初にキャリブレーション実行部１０４は、その時点の画像処理設定を記憶部１０９に退避して（Ｓ６０１）、画像処理設定の初期化を行う（Ｓ６０２）。次にキャリブレーション実行部１０４は検査用パッチの描画を行う（Ｓ６０３）。測色器１１０が画像表示部１０３に表示されるパッチ画像の測色を行う（Ｓ６０４）。キャリブレーション実行部１０４は測色結果を取得し、記憶部１０９の検査用パッチ実施番号カウンタに対応する検査用パッチ測色結果格納領域に記憶する（Ｓ６０５）。その後キャリブレーション実行部１０４は、検査用パッチ実施番号カウンタの値をインクリメント（１つ加算）し（Ｓ６０６）、最後に記憶部１０９に退避していた画像処理設定を復帰させる（Ｓ６０７）。
【００３７】
図７は、本実施例のエラー箇所特定処理フローチャートである。エラー特定部１０６は以下に示すＳ７０２乃至Ｓ７０５の処理を繰り返し行うことによって、全キャリブレーション項目に対して項目番号順にキャリブレーション実行時のエラー可能性有無の判定とユーザへの通知を行う（Ｓ７０１）。
【００３８】
エラー特定部１０６は、それぞれ記憶部１０９に記録されている、検査用パッチ実施番号に対応する測色値と一つ前の検査用パッチ実施番号(検査用パッチ実施番号−１)に対応する測色値との差分を計算しする（Ｓ７０２）。エラー特定部１０６は、その値の差分が閾値の範囲内か否かを確認する（Ｓ７０３）。範囲外であった場合には差分をとった２つの検査用パッチ測色の間に実施されたキャリブレーション項目にエラーの可能性があると判定し、その旨を画面に表示する（Ｓ７０４）。その後、検査用パッチ実施番号をインクリメント（１つ加算）する（Ｓ７０５）。
【００３９】
ここで、本実施例では閾値を１０とする。すなわち、エラー特定部１０６は、測色結果の差分が１０以内であれば正常と判断する。図４の測色結果の例に適用すると検査用パッチ実施番号２と３の測色結果の差分が（１１１−９８＝１３）となり閾値を超えているので、検査用パッチ実施番号２と３の間に実施されたキャリブレーション項目（「ガンマ調整」）にエラーの可能性があると判定される。エラー特定部１０６は、キャリブレーション項目「ガンマ調整」にエラーの可能性があることを画面に表示するようＧＵＩ生成部１０７に指示する。
【００４０】
なお、本実施例においてはエラー箇所特定結果をユーザに通知するＧＵＩ生成のために用いているが、エラーと判定したキャリブレーション項目を自動的にリトライするなど、エラー箇所特定結果を他の用途に用いても良い。
【００４１】
以上、本実施例の画像表示装置１００によれば、検査用パッチ測色結果格納領域に記憶した測色値の情報から、キャリブレーション処理過程におけるエラー発生箇所を特定することができる。そのため、キャリブレーションを再実行する際に、エラー発生を特定したキャリブレーション項目のみを再実行することができる。従って、全項目のキャリブレーションを再実行する必要が無くなるため、キャリブレーション再実行に要する時間を短縮することが可能となる。
【００４２】
（実施例２）
以下、図面を参照しながら本発明に係る実施例２を詳細に説明する。
【００４３】
図８は、本発明の実施例２に係るシステム構成の概略図である。ここに示すシステム構成は、外光センサ４２０が追加されていること以外は実施例１のシステムと同じ構成となるため、ここではシステム全体の説明は割愛する。
【００４４】
図９は、本発明の実施例２に係るキャリブレーション制御装置の概略構成を示すブロック図である。ここに示すブロック図は、外光センサ４２０が追加されていること以外は実施例１のシステムと同じ構成となるため、以下では外光センサ４２０に関わる動作についてのみ記載する。
【００４５】
外光センサ４２０はキャリブレーションの実行中、定期的に環境光の測定値である外光センサ値を出力し、キャリブレーション監視制御部４０５に測定値を送る。キャリブレーション監視制御部４０５は、外光センサ４２０から定期的に与えられる外光センサ値を監視して、キャリブレーション開始時からあらかじめ定めた閾値以上外光センサ値が変化した場合には、検査用パッチの挿入頻度を上げる。また、外光センサ値が再び閾値未満になった場合は、検査用パッチの挿入頻度を元に戻す。検査用パッチ挿入頻度変更処理については、後述の図１０で詳しく説明する。外光センサ４２０は画像表示装置の周囲の環境条件を取得する取得手段の一例である。キャリブレーションの正確性に影響を及ぼしうる温度を取得する温度センサなどであっても良いし、これら複数の環境条件の取得値の組み合わせに基づいて検査用パッチの測色を行う頻度を変化させても良い。
【００４６】
図１０は、本発明の実施例２に係る検査用パッチ挿入頻度変更処理のフローチャートである。最初に外光センサ４２０が外光センサ値を読み出し、キャリブレーション監視制御部４０５はその外光センサ値を取得する（Ｓ１００１）。キャリブレーション監視制御部４０５は、取得した外光センサ値がキャリブレーション開始後初めて取得した値か否かを確認する（Ｓ１００２）。初めて取得した外光センサ値である場合、キャリブレーション監視制御部４０５はその外光センサ値を基準値として記憶部４０９に記録する(Ｓ１００
３)。初めて取得した外光センサ値でない場合は、キャリブレーション監視制御部４０５
は、今回取得した外光センサ値と、記憶部４０９に記録されている基準値とを比較し（Ｓ１００４）、その差分があらかじめ定めた閾値の範囲内か否かを調べる（Ｓ１００５）。範囲外の場合、キャリブレーション監視制御部４０５は検査パッチの挿入頻度を上げ（Ｓ１００７）、範囲内の場合は（挿入頻度が上がっていた場合には）挿入頻度を元に戻す（Ｓ１００６）。
【００４７】
以上、本実施例の画像表示装置４００によれば、キャリブレーション処理過程における外光の変化を監視して、エラー発生の要因となる外光の大きな変化が検出された場合には検査用パッチの挿入頻度を上げる。これにより、短時間に環境が変化することによってキャリブレーションが正確に行えなかった場合にも、より細かくエラー発生箇所を特定することができる。従って、キャリブレーションを再実行する際に、再実行するキャリブレーション項目をさらに限定することができるため、キャリブレーション再実行に要する時間を短縮することが可能となる。エラー箇所をより細かく特定できる場合、例えば、キャリブレーション項目「輝度調整」の開始から終了までの間に複数回の検査用パッチの測色が行われる。従って、輝度調整のうちでも、ある範囲の輝度についてのキャリブレーションは正確に行われたが、別のある範囲の輝度については再キャリブレーションを要する、という判断を行うことが可能になる。これにより、キャリブレーション項目「輝度調整」の再実行をする際に、全階調についてキャリブレーションを行う必要がなく、再キャリブレーションを要すると判断された範囲の輝度についてのみキャリブレーションを行えばよい。従って、再キャリブレーションに要する時間を短縮することが可能になる。
【００４８】
以上の各実施例は本発明の一適用例であり、本発明の範囲内で種々の変更が可能である。上記の実施例では画像表示装置にキャリブレーション処理を行う機能部が備わる例を説明したが、キャリブレーション処理を行う機能部は画像表示装置とは別個のキャリブレーション装置に備わっていても良い。その場合、キャリブレーション装置がパッチ画像を画像表示装置へ出力してパッチ画像を表示させ、測色器はキャリブレーション装置に測定値
を送信し、キャリブレーション装置は測色器から取得する測定値に基づきキャリブレーションを行う。また、キャリブレーション装置は、キャリブレーション項目についてキャリブレーションを実行しつつ、定期的に検査用パッチを出力し、検査用パッチの測定結果を測色器から取得して記憶部に記憶する。キャリブレーション装置は、記憶部に記憶した検査用パッチの測定結果同士の比較を行い、エラー箇所、すなわちキャリブレーションの再実行を要するキャリブレーション項目を特定する。また、上述したキャリブレーション処理をＰＣ等のコンピュータに実行させるプログラム（ソフトウェア）、プログラムが記録されたコンピュータ読み取り可能な記録媒体も本発明に含まれる。その場合、例えばコンピュータのＣＰＵが記録媒体やネットワークによって供給されるソフトウェアを実行することにより、上述したキャリブレーション実行部、キャリブレーション監視制御部、エラー特定部、ＧＵＩ生成部の各機能が実現される。
【符号の説明】
【００４９】
１００：画像表示装置
１０４：キャリブレーション実行部
１０５：キャリブレーション監視制御部
１０６：エラー特定部
１０８：制御部
【図１】
2014059353.tif 000003
【図２】
2014059353.tif 000004
【図３】
2014059353.tif 000005
【図４】
2014059353.tif 000006
【図５】
2014059353.tif 000007
【図６】
2014059353.tif 000008
【図７】
2014059353.tif 000009
【図８】
2014059353.tif 000010
【図９】
2014059353.tif 000011
【図１０】
2014059353.tif 000012